(57)【要約】【課題】  簡便で正確に揮発性成分を捕集、分析することを可能とし、インキやグリスといった高粘性液体生産の品質管理手法に使用するに相応しい成分捕集のための試料容器を提供すること。【解決手段】  円柱もしくは多角柱形状であり、  底部に１以上の円柱もしくは多角柱形状である凹部を有し、該凹部が多段形状であり、  開口部に密封可能な栓を有する  ことを特徴とした高粘度液体の成分量を測定するために用いられる試料容器を用いることにより種々の試料に対応できるものである。【選択図】  図２
2007225328.tif 000002
【特許請求の範囲】
【請求項１】
上部に開口部および密封可能な栓を有し、かつ底部を有する筒状試料容器であって、
該底部が多段の凹形状であることを特徴とする試料容器。
【請求項２】
上部に開口部および密封可能な栓を有し、かつ底部を有する筒状試料容器であって、
該試料容器内に１以上の容器部を有することを特徴とする試料容器。
【発明の詳細な説明】
【技術分野】
【０００１】
本発明は、粘性の高い液体中に含まれる揮発性成分量測定の際の試料容器に関する。
【背景技術】
【０００２】
オフセットインキや油脂製品など粘性の高い液体に含まれる揮発性成分量の測定をする際、一般的にガスクロマトグラフによる測定が行われているが、一定量試料を採取して測定しても定量分析結果がまちまちになることがある。成分の確認が目的である測定ならば問題はないが、このような方法では成分の定量には精度が出ない。これは対象としている試料の粘性が高いため試料内部で成分の対流が起きにくく、表層付近の成分のみが発生成分となり同じ量を採取しても露出面の形状で成分濃度が変わってしまうことに起因するものである。定量分析をするためには、試料から目的の成分を蒸留などの操作や溶媒抽出で分離し、得られた液を分析する方法、試料全体を親和性のある溶媒などで希釈して固形分と共に直接装置に導入する方法などが考えられる（特許文献１）。
【０００３】
ガスクロマトグラフとは、ガス成分の分析をする際に用いられる装置であり、環境中のガス成分分析などは当然であるが、試料に含まれるガス、または、揮発性成分の分析も行なえるものである。すなわち測定対象とする試料を加熱し、発生させたガス状の成分を装置の注入口より取り込み、カラムという分離管で混合成分を分離し、カラム出口の検出器にて分離した成分をクロマトグラム（ピーク）として検出するというものである。
【０００４】
以下に先行技術文献を示す。
【特許文献１】特開２００５−５５２０５
【発明の開示】
【発明が解決しようとする課題】
【０００５】
粘性の高い液体に含まれる揮発性成分の成分量測定を行う場合、前述の方法が一般的であるが、操作が煩雑ということ、少量の試料に対してはロスが多いこと、また直接装置に導入する場合、固形分などが装置の系を汚染してしまうことなどの不具合が発生する。
【０００６】
また、対象とする液体に含まれる揮発性成分濃度が高い場合、試料容器内で露出させる一定面積が大きいと発生する揮発性成分が高濃度になり、後の定量分析の検量線領域から外れて不正確な数値となることがある。
【０００７】
本発明の課題は、広範囲な揮発性成分濃度を有する高粘性の液体に対しても、短時間に精度良く揮発性成分の成分量測定が可能となる試料容器を提供するものである。
【課題を解決するための手段】
【０００８】
請求項１に記載の発明は、上部に開口部および密封可能な栓を有し、かつ底部を有する筒状試料容器であって、
該底部が多段の凹形状であることを特徴とする試料容器である。
【０００９】
請求項２に記載の発明は、上部に開口部および密封可能な栓を有し、かつ底部を有する筒状試料容器であって、
該試料容器内に１以上の容器部を有することを特徴とする試料容器である。
【発明の効果】
【００１０】
本発明は、試料露出面積が段階的に一定な試料容器を用いることで、粘性の高い液体に含まれる揮発性成分の成分量測定を短時間で精度良く行うことを可能としたものである。
【発明を実施するための最良の形態】
【００１１】
本発明の試料容器を、図１をもとにして説明する。
【００１２】
筒状の密封可能な試料容器の底部に、更に筒状である凹部を１つ設けた試料容器１内に、目的とする高粘性液体２を、試料容器の入口付近などに付着させないよう注意深く底部から流し込み、密封する。密封する栓３は一部ゴムなどの素材を有し、試料容器内に発生させた成分の捕集の際、注射器の針が通過できる構造のものを用いるのが好ましい。また、試料容器および試料容器の底部に設けられた凹部の形状は円形や多角形状であり、試料容器の底部に設けられた多段の凹形状は、１段以上の多段形状であればよい。さらに、試料容器の底部に設けられた凹部は１つに限るものでははい。
【００１３】
通常、試料容器内空間に揮発性成分を発生させるにはある程度の加熱処理を行うことが良く、その後に栓のゴム部に針を通して注射器などの捕集器具で目的成分を一定量取り出し、分析装置（ガスクロマトグラフ）に導入する操作を行う。
【００１４】
高粘性液体２に含まれる揮発性成分量が比較的多い場合などは、露出させる面積を小さくする必要があり、そのような場合は底部の小さい凹部に流し込むようにする。
【００１５】
材質はガラス、金属など目的成分の吸着やその他の成分の発生が少ない材質のものであれば良い。
【００１６】
図２に、本発明請求項１に記載の試料容器形状例を示す。
【００１７】
本発明の試料容器を、図３をもとにして説明する。
【００１８】
筒状の試料容器４内に容器部５を有し、目的とする高粘性液体２を、筒状の試料容器４内の容器部５入口付近などに付着させないよう注意深く底部から流し込み、試料容器４を密封する。密封する栓３は一部ゴムなどの素材を有し、試料容器４内に発生させた成分の捕集の際、注射器の針が通過できる構造のものを用いるのが好ましい。
【００１９】
通常、試料容器４内空間に揮発性成分を発生させるにはある程度の加熱処理を行うことが良く、その後に栓のゴム部に針を通して注射器などの捕集器具で目的成分を一定量取り出し、分析装置（ガスクロマトグラフ）に導入する操作を行う。
【００２０】
高粘性液体２に含まれる揮発性成分量が比較的多い場合などは、露出させる面積を小さくする必要がある。そのような場合は、露出面積がより小さい容器部５を選択するか、もしくは、体積がより大きくなる試料容器４を選択する必要がある。
ここで、試料容器４と容器部５とが取り外し可能なものでも、固定されているものでも構わない。
【００２１】
材質はガラス、金属など目的成分の吸着やその他の成分の発生が少ない材質のものであれば良い。
【実施例】
【００２２】
ガラス製注射器に大豆油系オフセットインキを入れ、市販容器２（バイアル瓶）内に、瓶内壁にインキが付着しないよう、またインキ露出面が平坦になるよう注意深く瓶の底から約５ｍｍの高さまで入れ、ゴム栓付きフタで密封した。これはばらつき確認のため同様のものを２個作成した。同様にインキを底から約２ｃｍまで入れたものを作成した。
【００２３】
また、容器２の内側の円面積に対して約１／１０相当の面積を持つ小さなアルミカップに同様にインキを入れ、密封したものも作成した。
【００２４】
これらの瓶を６０℃に加熱し、瓶内空間に発生した成分をガスタイトシリンジで一定量抜き取り、ガスクロマトグラフにて分析を行い、成分によるピーク面積の比較を行った。検出された主な成分はペンタデカン、ヘキサデカンであったのでこれらの成分を用いて発明の効果確認を行った。
【００２５】
＜比較例１＞
容器２に実施例の５ｍｍと同量（約１ｇ）のインキを、薬さじを用いて容器内面に、半分の高さまで塗布して密封した。これはばらつき確認のため２個作成した。これらの試料も同様に加熱し、容器中のペンタデカン、ヘキサデカンの測定を行った。
【００２６】
実施例、比較例１の結果を表１に示した。
【００２７】
【表１】
2007225328.tif 000003
【００２８】
実験の結果、容器内に一定面積露出させる方法は繰り返し精度が良好であり、また、多少液面が上下しても再現良く分析することが可能であること、更に１／１０の露出面積での実験では約１／１０の結果が得られたことで露出面積を規定すれば試料の比較分析は可能であることがいえる。
【００２９】
試料容器の内面に試料を塗布する方法では、同量を塗布したにもかかわらず、得られた結果に大きなずれを生じてしまった。これは塗布した表面の状態や塗布する作業のばらつきが影響したものと考えら、ばらつきを低減させることは熟練を必要することが予想され、誰でもが行なえる作業とはいえない。
【産業上の利用可能性】
【００３０】
本発明は、高粘度の液体に含まれている揮発性成分の測定を正確に行うことが可能である試料容器であり、インキ、マヨネーズ、グリスといった粘度の高い製品の品質管理工程に利用できるものである。
【図面の簡単な説明】
【００３１】
【図１】本発明の試料容器を模式的に示した図である。
【図２】本発明の試料容器を模式的に示した図である。
【図３】本発明の試料容器を模式的に示した図である。
【符号の説明】
【００３２】
１  底部に円柱形状の凹部を設けた試料容器
２  高粘性液体
３  栓
４  試料容器
５  容器部
【図１】
2007225328.tif 000004
【図２】
2007225328.tif 000005
【図３】
2007225328.tif 000006